(57)【要約】【課題】杭への脱着が容易で、しかも杭径が異なる場合にも自由に対応できる杭用仮設足場を提供する。【解決手段】杭の外周に巻き付けて取り付けられた取付け用ベルトと、杭側の端部を前記取付け用ベルトに連結して前記杭の外方に放射状に突設された複数の足場用ブラケットと、当該足場用ブラケットの上に敷設された足場板と、当該足場の周囲に設置された手摺とから構成する。足場用ブラケットに当該足場用ブラケットの水平調整を行なう調整ねじを取り付ける。【選択図】図１
2009041194.tif 000002
【特許請求の範囲】
【請求項１】
杭の上端部に仮設される杭用仮設足場であって、前記杭の外周に巻き付けて取り付けられる取付け用ベルトと、当該取付け用ベルトに結合され、前記杭の外方に突設された複数の足場用ブラケットと、当該足場用ブラケットの上に敷設された足場板と、当該足場板の周囲に設置された手摺とから構成されてなることを特徴とする杭用仮設足場。
【請求項２】
足場用ブラケットは、杭の側部に当該杭の周方向に所定間隔をおいて突設された２本のブラケット本体と当該ブラケット本体どうしを連結する連結部材を備えて構成されてなることを特徴とする請求項１記載の杭用仮設足場。
【請求項３】
足場用ブラケットに当該足場用ブラケットの水平調整を行なう調整ねじが取り付けられていることを特徴とする請求項１または２記載の杭用仮設足場。
【請求項４】
複数の杭間に仮設される杭用仮設足場であって、各杭の上端部に取り付けられる請求項１〜３のいずれか１に記載の杭用仮設足場と、当該杭用仮設足場間に架け渡される複数の仮設梁と、当該仮設梁の上に敷設される足場板とから構成されてなることを特徴とする杭用仮設足場。
【発明の詳細な説明】
【技術分野】
【０００１】
本発明は、鋼管杭やＰＣ杭などの既設杭の上端部または複数の既設杭間に仮設される杭用仮設足場に関し、杭の上端部に各杭ごとに、あるいは複数の杭間にステージ状に仮設でき、かつ簡易に脱着でき、杭用の仮設足場として利用が期待されるものである。
【背景技術】
【０００２】
例えば、鋼管杭やＰＣ杭などの杭によって支持されている桟橋のスラブ下、あるいは桟橋を支持する杭本体の剥離や錆付き等を保守点検する場合、これまで小型船舶を浮かべその上で行なっていた。また、杭本体の上端部に仮設足場を仮設し、あるいは桟橋のスラブ下に仮設足場をステージ状に垂設し、その上で行なっていた。
【０００３】
ところで、杭本体の上端部に仮設足場を仮設する方法として、杭と同径の鋼管をその周方向に複数に分割し、これをボルト・ナットで杭に締め付け固定できるように加工した部分と、杭の外方に突設させるブラケットを溶接により一体化し、これを杭の上端部に吊り下げる等して仮付けし、ボルト・ナットで締め付けて固定し、そしてブラケットの上に仮設足場を敷設していた。
【０００４】
また、桟橋のスラブ下に仮足場をステージ状に仮設する方法としては、桟橋のスラブ下にアンカーを打ち、そこにチェーン等を吊り下げて仮設足場を仮設していた。
【０００５】
【特許文献１】特開２００６−２８３４８０号公報
【特許文献２】特開２００５−９０７０号公報
【特許文献３】特開２００１−２０６２８５号公報
【特許文献４】特開平５−７１１１５号公報
【特許文献５】特開平５−１１８１４７号公報
【発明の開示】
【発明が解決しようとする課題】
【０００６】
しかし、また、船舶の上での保守・点検作業は、船舶の揺れのため非常に不安定な作業を強いられ、作業の効率性と安全性などに課題があった。また、上記した杭用仮設足場は、加工および脱着が共に面倒なだけでなく、仮設される杭の杭径の変化に対応できるようにはなっていないため、杭径が異なるごとに準備する必要があり、さらに仮設される杭に傾きがあると、傾いた状態で仮設されてしまうという課題もあった。
【０００７】
また、桟橋のスラブ下に仮設足場を仮設する場合、クレーンによる吊り込みが非常に困難であった。
【０００８】
本発明は、以上の課題を解決するためになされたもので、杭への脱着が容易で、しかも杭径が異なる場合にも仮設が可能で、さらに複数の杭間にも容易に仮設できる杭用仮設足場を提供することを目的とする。
【課題を解決するための手段】
【０００９】
請求項１記載の杭用仮設足場は、杭の上端部に仮設される杭用仮設足場であって、前記杭の外周に巻き付けて取り付けられる取付け用ベルトと、当該取付け用ベルトに結合され、前記杭の外方に突設される複数の足場用ブラケットと、当該足場用ブラケットの上に敷設される足場板と、当該足場板の周囲に設置される手摺とから構成されてなることを特徴とするものである。
【００１０】
本発明は、特に鋼管杭やＰＣ杭などの既設杭の上端部に簡易に脱着できるようにしたものであり、特に取付け用ベルトには径の異なる杭にも仮設できるように可とう性を有し、変形自在なベルト、例えば強度および耐久性にすぐれたポリエステル製のベルトを用いるのがよい。
【００１１】
また、ベルトの締付け金具にはベルトの締め付けと緩めることを迅速に行なえる金具、例えば手動ラチェット式の締付け金具などを用いることができる。さらに、杭への脱着を迅速かつ簡単に行なえるように、締付け金具の他にベルトをループ状にして杭の上端部に巻き付け、かつ切り離して杭から取り外せるように連結金具を設けてもよい。
【００１２】
請求項２記載の杭用仮設足場は、請求項１記載の杭用仮設足場において、足場用ブラケットは、杭の側部に当該杭の周方向に所定間隔をおいて突設された２本のブラケット本体と当該ブラケット本体どうしを連結する連結部材を備えて構成されてなることを特徴とするものである。
【００１３】
本発明は、足場用ブラケットを複数のブラケット本体によって杭の側部に支持させることで、ブラケット本体の横倒れを防止できるようにたものである。なお、ブラケット本体は円形鋼管や角形鋼管、あるいは軽量形鋼などから形成することができ、また連結部材は鋼管や鉄筋などから形成することができる。なお、ブラケット本体は杭径に応じて適宜増やしてもよい。
【００１４】
請求項３記載の杭用仮設足場は、請求項１または２記載の杭用仮設足場において、足場用ブラケットに当該足場用ブラケットの水平調整を行なうための調整ねじが取り付けられていることを特徴とするものである。本発明は、特に杭が傾いている場合でも足場用ブラケットを水平に設置できるようにしたものである。  
【００１５】
請求項４記載の杭用仮設足場は、複数の杭間に仮設される杭用仮設足場であって、各杭の上端部に取り付けられる請求項１〜３のいずれか１に記載の杭用仮設足場と、当該杭用仮設足場間に架け渡される複数の仮設梁と、当該仮設梁の上に敷設される足場板とから構成されてなることを特徴とするものである。本発明は、複数の杭間に仮設足場をステージ状に容易に仮設することができるようにしたものである。
【発明の効果】
【００１６】
本発明は、杭の外周に巻き付けて取り付けられた取付け用ベルトと、杭側の端部を前記取付け用ベルトに連結して前記杭の外方に放射状に突設された複数の足場用ブラケットと、当該足場用ブラケットの上に敷設された足場板と、当該足場の周囲に設置された手摺とから構成され、特に取付け用ベルトを杭の外周に巻き付けて取り付けることができるため、杭への脱着が容易である等の効果を有する。
【００１７】
また、足場用ブラケットに当該足場用ブラケットの水平調整を行なう調整ねじが取り付けられているため、杭が少々傾いていてもこの傾きを吸収して水平に取り付けることができる等の効果もある。
【発明を実施するための最良の形態】
【００１８】
図１〜図４は、本発明の杭用仮設足場の一例を示し、図において、杭用仮設足場１は杭Ａの上端部に巻き付けて取り付けられた取付け用ベルト２と、当該取付け用ベルト２に連結され、杭Ａの外方向に水平かつ放射状に突設された複数の足場用ブラケット３と、当該足場用ブラケット３の上に敷設された複数の足場板４と、当該足場４の周囲に取り付けられた手すり５とから構成されている。
【００１９】
取付け用ベルト２は、図２に図示するように二本のベルト本体６と複数のブラケット受け金具７とベルト締付け金具８とから構成されている。
【００２０】
ベルト本体６はポリエステル等の強度および耐久性にすぐれた高強度の樹脂材から可とう性を有し、変形自在な帯状に形成され、一端側に当該端部を互いに連結してループ状にするための連結金具９ａと９ｂがそれぞれ取り付けられている。この場合の連結金具９ａおよび９ｂとしては、例えば互いに連結および離脱自在に形成されたフックと輪環、またはフックとフック等が取り付けられている。なお、上記した連結金具９ａおよび９ｂがなく、一本のベルト本体６を用いることもできる。
【００２１】
ブラケット受け金具７は、図３（ａ）、（ｂ）に図示するように、当該ブラケット受け金具７をベルト本体６に取り付けるためのベルト挿通部７ａと足場用ブラケット３の杭Ａ側の端部を連結するためのブラケット挿入部７ｂとから一体的に形成されている。
【００２２】
ベルト挿通部７ａは、鋼板の曲げ加工によりベルト本体６を挿通可能な横方向に貫通する縦長の矩形断面形をした筒状に形成されている。
【００２３】
ブラケット挿入部７ｂは、足場用ブラケット３の杭Ａ側の端部に形成された連結部７ｄ（後述する）を挿入可能な、鉛直に貫通する筒状に形成されている。また、ブラケット挿入部７ｂは円形または角形の鋼管から形成され、ベルト挿通部７ａと溶接することにより一体的に形成されている。
【００２４】
このように形成されたブラケット受け金具７は、ベルト挿通部７ａにベルト本体６を挿通することによりベルト本体６に複数取り付けられ、またベルト本体６の長手方向にスライドさせて任意の位置にセットできるようになっている。
【００２５】
ベルト締付け金具８は、ベルト本体６の他端側の端部に取り付けられ、ベルト本体６どうしの他端側を互いに連結し、かつベルト本体６，６の他端側を互いに引き寄せることにより、ループ状になったベルト本体６を締め付けられるように構成されている。なお、この場合の締付け金具８には手動ラチェット式の締付け金具が用いられている。
【００２６】
このように構成された取付け用ベルト２は、杭Ａの上端部に両端の連結金具９ａと９ｂを連結して巻き付けられ、かつベルト締付け金具８を操作して強く締め付けることにより杭Ａの上端部に取り付けられている。また、杭Ａの径に応じて、必要数のブラケット受け金具７が杭Ａの周方向に一定間隔おきに取り付けられている。
【００２７】
足場用ブラケット３は、杭Ａの周方向に一定間隔をおいて杭Ａの外方向に水平かつ放射状に突出する二本のブラケット本体１０，１０と、当該ブラケット本体１０どうしを互いに連結する複数の連結部材１１とから構成されている。
【００２８】
ブラケット本体１０は杭Ａ側から杭Ａの外方向に水平に伸びるアーム部１０ａと、当該アーム部１０ａの先端から杭Ａ側に斜め下方に伸びる方杖部１０ｂとこれらアーム部１０ａと方杖部１０ｂの杭Ａ側の端部を連結する束部１０ｃとからほぼ三角形状に形成されている。
【００２９】
アーム部１０ａの杭Ａ側の端部にはブラケット受け金具７のブラケット挿入部７ｂに挿入可能な連結部１０ｄが垂設され、先端部には手すり５の手摺枠５ａを立て付けるための立付け孔１０ｅが形成されている。この場合の立付け孔１０ｅは円形または矩形の鋼管をアーム部１０ａの先端部に溶接することにより形成されている。
【００３０】
方杖部１０ｂの杭Ａ側の端部には杭Ａの側部に当接するベース部１０ｆが突設され、当該ベース部１０ｆにはブラケット本体１０の水平調整をするための調整ねじ１２が複数取り付けられている。
【００３１】
この場合の調整ねじ１２は、ベース部１０ｆに杭Ａ側に向かって垂直に、かつベース部１０ｆを貫通した状態で螺合されている。そして、この調整ねじ１２を適宜回してねじ先端の突出長さを調整することで、ブラケット本体１０の水平調整を行なうことができる。調整ねじ１２は杭Ａが傾いている場合に利用される。
【００３２】
このように構成された足場用ブラケット３は、各ブラケット本体１０ａの連結部１０ｄをブラケット受け金具７のブラケット挿入部７ｂにそれぞれ挿入し、かつベース部１０ｆを杭Ａの側面部に当接させて杭Ａの側部にそれぞれ設置されている。そして、必要に応じて調整ねじ１２を回してブラケット本体１０、すなわち足場用ブラケット３の水平調整がなされている。
【００３３】
足場板４は、杭Ａの周方向に複数に分割され、それぞれ扇形に形成され、かつ足場用ブラケット３のアーム部１０ａ，１０ａ間に敷設され、かつ足場用ブラケット３に適宜固定されている。
【００３４】
手すり５は、各ブラケット本体１０のアーム部１０ａの先端部に突設された立付け孔１０ｅに差し込んで立設された複数の手摺枠５ａ，５ａと当該手摺枠５ａ，５ａ間に架け渡された柵５ｂとから構成されている。
【００３５】
図５は、本発明の杭用仮設足場を利用して隣接する複数の杭Ａ，Ａ間にステージ状に仮設された杭用仮設足場を示し、上記した構成により各杭Ａの上端部に杭用仮設足場１がそれぞれ仮設されている。
【００３６】
また、各杭用仮設足場１の足場用ブラケット３,３間に受け桁１３が架け渡され、当該受け桁１３，１３間に補助桁１４が架け渡され、そして補助桁１４，１４間に足場板１５が敷設されている。こうして、隣接する複数の杭Ａ，Ａ間に所定規模の杭用仮設足場がステージ状に仮設されている。なお、受け桁１３と補助桁１４にはＨ形鋼などの鋼材が用いられている。
【産業上の利用可能性】
【００３７】
本発明は、簡易に脱着できる杭用仮設足場として鋼管杭やＰＣ杭などの既設杭の保守点検に利用できるものである。
【図面の簡単な説明】
【００３８】
【図１】鋼管杭の上端部に仮設された杭用仮設足場の一例を示し、（ａ）は平面図、（ｂ）は側面図である。
【図２】取付け用ベルトを示し、（ａ）はその全体を示す平面図、（ｂ）は締付け金具を示す図２（ａ）におけるイ部拡大図である。
【図３】足場用ブラケットの要部を示し、（ａ）は図１（ｂ）におけるロ部拡大図、（ｂ）は図１（ａ）におけるホ部拡大図である。
【図４】足場用ブラケットの要部を示し、（ａ）は図１（ｂ）におけるニ部拡大図、（ｂ）は図１（ｂ）におけるハ部拡大図である。
【図５】図１に示す杭用仮設足場を利用して隣接する複数の杭間にステージ状に仮設された杭用仮設足場を示す平面図である。
【符号の説明】
【００３９】
１  杭用仮設足場
２  取付け用ベルト
３  足場用ブラケット
４  足場板
５  手すり
６  ベルト本体
７  ブラケット受け金具
８  ベルト締付け金具
９ａ  連結金具
９ｂ  連結金具
１０  ブラケット本体
１１  連結部材
１２  調整ねじ
１３  受け桁
１４  補助桁
１５  足場板
【図１】
2009041194.tif 000003
【図２】
2009041194.tif 000004
【図３】
2009041194.tif 000005
【図４】
2009041194.tif 000006
【図５】
2009041194.tif 000007